(57)【特許請求の範囲】
【請求項１】
カメラ装置から受信したカメラ画像と、アンテナを介して受信したテレビ画像との２種類の画像を少なくとも記憶可能な記憶手段と、
前記記憶手段に記憶されている画像の表示の要否入力のための誘導画面を表示装置に出力する出力手段と、
前記表示装置に一度も出力されていない未確認のカメラ画像が前記記憶手段に記憶されている場合には、前記表示装置に一度も出力されていない未確認のテレビ画像が前記記憶手段に記憶されているか否かに関わらず、前記未確認のカメラ画像の表示の要否入力のための誘導画面を自動的に出力するよう前記出力手段を制御する制御手段と、を備える、
録画装置。
【請求項２】
電源入力を受け付ける受付手段をさらに備え、
前記受付手段が電源入力を受け付けたときに、前記制御手段は、特定した画像の表示の要否入力のための誘導画面を出力するよう前記出力手段を制御する、
請求項１に記載の録画装置。
【発明の詳細な説明】
【技術分野】
【０００１】
本発明は、テレビ画像を録画し再生する装置に関するものであり、特にカメラ装置を接続して使用した場合において、カメラ装置から受信し録画した情報の再生を管理する技術に関する。
【背景技術】
【０００２】
家庭において、テレビ番組やそのほかの画像情報を録画し再生するための装置（以下、「録画装置」という）は、従来より一般的に使用されており、近年、多様な機能をもつ録画装置が普及しつつある。これは、デジタル技術の進歩にともない、磁気テープからＣＤ、ＤＶＤやデジタルカメラなどへと、電子化された情報を種々の記録媒体に高密度で記録することが可能になり、録画装置の利用目的が多様化されたことがひとつの理由である。
【０００３】
デジタル技術の進歩は、テレビ番組や市販のコンテンツの録画や再生にとどまらず、家庭で取り扱う情報のシステム化とネットワーク化を促進している。例えば、音声により来客を通知する装置としてのドアホンをカメラ装置と接続することにより、来客を映像により確認することができるようになり、カメラ装置を使用して家屋や敷地への侵入や周辺の状況を監視するホームセキュリティシステムが徐々に普及しつつある。
【０００４】
本発明は、家庭用のネットワークシステムにおいて録画装置にカメラ装置を接続して使用する技術に関するものである。この場合、ネットワークシステムに接続する機器が有する機能の連携をはかり、それぞれの機能をどのように効果的に利用するかが重要な技術上の課題となる。特に録画装置にはネットワークに接続される機器から多くの情報が次々に記録されるため、録画済みの情報の管理が重要になる。
【０００５】
これに対して、録画済みの情報を管理する装置に関して、従来、未再生録画通知装置の事例が開示されている（例えば、特許文献１を参照）。この開示例では、ネットワークにおいてほかの記録再生装置と接続して使用する装置において、録画終了時やテレビモニタの電源が入った時に、未再生の録画情報に関する表示を行う事例が記載されており、テレビモニタに表示し通知する方法および再生時の制御などについて検討されている。
【０００６】
また、画像再生装置において記録済みの画像を管理し表示する方法については、表示すべき項目を選択してスライドショー形式で表示する事例（例えば、特許文献２を参照）があり、住宅管理システムでは、来訪者情報を記録し表示する方法（例えば、特許文献３を参照）や、再生時に画像を識別して再生順序を調整する方法（例えば、特許文献４を参照）などが開示されている。
【特許文献１】特開２００２−２１８３６９号公報
【特許文献２】特開２００６−５４７３６号公報
【特許文献３】特開平１１−２２０７２５号公報
【特許文献４】特開２０００−３６９５３号公報
【発明の開示】
【発明が解決しようとする課題】
【０００７】
多種類の情報を取り扱う家庭用のネットワークシステムにおいては、記録された画像の重要性・緊急性は、当該記録された画像の情報源により異なる。例えば、同じ未視聴の画像であっても、放送番組を録画した画像とドアホンに設置されたカメラ装置により撮像され記録された画像とを比較した場合、後者の画像の方がセキュリティーの観点から緊急性・重要性の高い画像と考えられる。
【０００８】
しかしながら、従来の録画装置では、画像の情報源により緊急性・重要性に違いをつけることは無かった。したがって、緊急性・重要性の高い情報源の画像を、利用者に対して優先的に提示することができないという課題があった。
【０００９】
本発明は、上記課題を解決するためになされたものであり、所定の情報源の画像であって、録画後、一度も再生されていない未確認画像について表示のタイミングを確認する機能を録画装置に設けることにより、家庭用ネットワークシステムにおいて、録画装置において記録された情報を、重要度や緊急性などに応じて、利用者に対して優先的に提示することができる。
【課題を解決するための手段】
【００１０】
上述したような課題を解決するために、本発明の録画装置は、カメラ装置から送信された画像を受信する受信手段と、表示装置に表示する画像を出力する出力手段と、カメラ装置から送信された画像を録画する録画手段と、録画画像を保存する保存手段と、録画画像が一度も表示されていない未確認画像である旨の管理情報を記憶する記憶手段と、未確認画像が保存手段に存在するか否かを検出する検出手段と、録画画像の表示および管理にかかわる制御を行う制御手段とを備え、電源起動時に、未確認画像が保存手段に保存されている場合には、制御手段は、未確認画像の表示の要否について確認を行う確認誘導画面を出力手段を介して表示装置に表示させることを特徴とする。
【００１１】
これにより、利用者は録画装置に記録された情報について、重要度や緊急性などに応じて再生のタイミングを判断し、極めて簡単な操作により自らの意思を実行することができ、録画情報の迅速かつ適切な利用を可能にする高機能の録画装置を提供することができる。
【００１２】
また本発明の録画装置は、確認誘導画面は第１の選択肢および第２の選択肢を有し、第１の選択肢が選択された場合は、制御手段は、出力手段を介して表示装置に未確認画像を表示するとともに、管理情報を更新してもよい。
【００１３】
これにより、利用者の都合に合わせて未確認画像の確認が可能となるとともに、一度確認が終った録画画像に対しては再度確認画面が現れることがないので確認作業が効率的に行える。
【００１４】
また本発明の録画装置は、第２の選択肢が選択された場合には、制御手段は、電源ＯＦＦ時に出力手段を介して確認誘導画面を再度表示し、再度表示された確認誘導画面において第１の選択肢が選択された場合には、出力手段を介して表示装置に未確認画像を表示するとともに管理情報を更新し、第２の選択肢が選択された場合には、電源をＯＦＦにしてもよい。
【００１５】
これにより、電源起動時に第２の選択肢を選んで未確認画像を確認しなかった場合でも、電源ＯＦＦ時に再度確認誘導画面が現れるので確認のタイミングを失することがない。
【発明の効果】
【００１６】
本発明の録画装置によれば、利用者は録画装置に記録された情報について、重要度や緊急性などに応じて再生のタイミングを判断し、極めて簡単な操作により自らの意思を実行することができる。これにより、録画情報の迅速かつ適切な利用を可能にする高機能の録画装置を提供することができる。
【発明を実施するための最良の形態】
【００１７】
以下、本発明の実施の形態について、図１から図６を用いて説明する。
【００１８】
（実施の形態）
図１は本発明の実施の形態における録画装置１の使用例を示す主要配置図、図２は録画装置１の基本構成を示すブロック図であり、図３は動作手順を示すフローチャート、図４、図５および図６は録画装置１の機能に関する事例を示す概略説明図である。
【００１９】
まず、図１により、電灯線通信（以下、「ＰＬＣ」と称する）を用いた家庭用のネットワークシステムにおいて家庭用のネットワークシステムにおいて録画装置１にカメラ装置を接続して使用する事例について、説明する。
【００２０】
図１に示すように、録画装置１は家屋内のリビング２においてテレビジョン装置（以下、「テレビ」と略記する）３と接続されているほか、ルータ４、ＰＬＣアダプタ５、プラグ６およびコンセント７を介して家庭用の電灯線８に接続されている。また、リビング２には来客（例えば、人１５）応対システムとしてドアホン親機９が設置されており、ＰＬＣアダプタ１０、プラグ１１およびコンセント１２を介して電灯線８に接続されている。また、玄関１３にはカメラ装置としてドアホンカメラ１４が設置され、ドアホン親機９と接続されている。さらに、家屋の周辺部または外構部や庭などの敷地内には玄関とは別のカメラ装置としてネットワークカメラ１６が設置されており、ＰＬＣアダプタ１７、プラグ１８およびコンセント１９を経由して電灯線８に接続されている。
【００２１】
つぎに、図２により、録画装置１の基本構成と機能について説明する。
【００２２】
録画装置１は２つの録画再生処理部１１０、１２０と、チューナ１１３、１２３、および端子部１１４、録画時の制御を行う制御手段としての録画制御部１３０および切替部１３１、保存手段としての記憶部１４０、ネットワークアダプタ１５０を備えている。第１の録画再生処理部１１０の入力は、切替部１３１を介して第１のチューナ１１３、第２のチューナ１２３およびネットワークアダプタ１５０と切替可能に接続されており、出力は記憶部１４０および表示部１７０と接続されている。第２の録画再生処理部１２０についても同様である。
【００２３】
録画再生処理部１１０は、予約手段としての番組予約部１１１と録画再生手段としての録画再生部１１２を備え、アンテナ１１５で受信したテレビ画像をチューナ１１３またはチューナ１２３により選択し、番組を予約して録画することができる。同様に、録画再生処理部１２０は、番組予約部１２１と録画再生部１２２を備え、切替部１３１を接続することにより、アンテナ１１５で受信したテレビ画像をチューナ１２３またはチューナ１１３により選択し、番組を予約して録画することができる。
【００２４】
ネットワークアダプタ１５０は、ドアホンシステム１５１から送信された情報を受信して、録画制御部１３０に送信できるほか、切替部１３１を経由して録画再生処理部１１０、１２０に送信することができる。
【００２５】
切替部１３１は３段階に切り替えることができ、録画制御部１３０から指示がない場合セレクタ１３２は切替位置（１）に、セレクタ１３３は切替位置（２）に接続され、録画再生処理部１１０はチューナ１１３に、録画再生処理部１２０はチューナ１２３に接続され、それぞれの予約番組の録画を優先する。
【００２６】
録画制御部１３０は、ネットワーククアダプタ１５０からドアホンシステム１５１に関する情報を受信することができるほか、録画再生処理部１１０、１２０から番組予約に関する情報を受信することができる。また、ネットワークアダプタ１５０および録画再生処理部１１０、１２０から受信した情報に基づき制御すべき条件の判定を行い、判定結果に基づき、切替部１３１および録画再生処理部１１０、１２０の録画動作を指示し、制御することができる。
【００２７】
ドアホンシステム１５１は、カメラ装置１５２を備え、カメラが撮影した画像をネットワークに送信するためのＪＰＥＧなどの画像圧縮を含む信号処理を行い、ドアホン親機９（図１）およびネットワークアダプタ１５０を経由してリビング２に設置された録画装置１に玄関における人物１５の画像を送信することができる。
【００２８】
つぎに、図３により、録画装置１における録画動作の手順について説明する。
【００２９】
まず、玄関１３において、来訪者１５がドアホンシステム１５１の押しボタンを押すなどの操作をすると、ドアホンシステム１５１が起動し、カメラ装置１５２が撮像を開始する。カメラ装置１５２から発信された画像情報はネットワークに送信するための信号処理を行い、ドアホン親機９を経由して録画装置１に配設されたネットワークアダプタ１５０に通知情報と画像情報を送信する。ネットワークアダプタ１５０ではドアホンシステム１５１が起動したことに関する通知とカメラ装置が撮影した来訪者１５の画像情報を受信する（ステップ１：Ｓ１と略記する。以下、同様とする）。
【００３０】
ネットワークアダプタ１５０は受信した情報に基づき、カメラ装置１５２が起動したことを通知する情報を作成して録画制御部１３０に送信し、録画制御部１３０はこれを受信する（Ｓ２）。録画制御部１３０はネットワークアダプタ１５０から受信した情報に基づき、録画再生処理部１１０、１２０における番組の予約状況を確認し、録画再生処理部１１０、１２０から録画情報を取得する（Ｓ３）。
【００３１】
つぎに、録画制御部１３０では、録画再生処理部１１０、１２０における同時録画の有無に関する判定を行う（Ｓ４）。判定の結果が「同時録画なし」の場合は、切替部１３１を操作し、接続位置を切り替えて、ネットワークアダプタ１５０を録画再生処理部１１０または録画再生処理部１２０のいずれかに接続する（Ｓ５）。その後、録画再生処理部１１０または録画再生処理部１２０に対してネットワークアダプタ１５０から送信された情報の録画指示を行い、録画再生処理部１１０または録画再生処理部１２０は録画制御部１３０からの指示に基づき、カメラ装置１５２が撮影した来訪者１５に関する画像を録画し（Ｓ６）、記憶部１４０に保存する（Ｓ７）。
【００３２】
一方、判定結果が「同時録画あり」の場合は、録画制御部１３０は、切替部１３１における接続条件を変えることなく、録画再生処理部１１０、１２０における録画を優先し、録画を継続させ（Ｓ８）、記憶部１４０に保存する（Ｓ９）。
【００３３】
以上、本発明の実施の形態における録画装置１について、録画にかかわる構成、機能および動作の手順について述べたが、以下に録画装置１の再生にかかわる構成、機能および動作の手順について説明する。
【００３４】
図２に示すように、録画装置１は再生にかかわる構成として、カメラ装置１５２から送信された画像を受信する受信手段としてのネットワークアダプタ１５０、表示装置１７１に画像を表示する表示手段としての表示部１７０、カメラ装置１５２から送信された画像を録画する録画手段としての録画再生処理部１１０、１２０、録画画像を保存する保存手段としての記憶部１４０、および録画再生処理部１１０、１２０により録画された録画画像の管理を行う管理手段としての管理部１６０、録画画像の表示および管理にかかわる制御を行う制御手段としての再生制御部１８０を備えている。
【００３５】
記憶部１４０は、例えばＨＤＤなどで構成され、録画画像が記憶される。また、記憶部１４０に保存された録画画像のうち、ドアホンシステム１５１から入力された画像であり、且つ、一度も表示されていない未確認画像を特定する管理情報が記憶されている。以下、ドアホンシステム１５１から入力された画像であり、且つ、一度も表示されていない未確認画像を、ドアホン未確認画像と称する。なお、不揮発メモリ（図示せず）を設け、その不揮発メモリに管理情報を記録しても良い。この場合、起動時に不揮発メモリの方がＨＤＤよりも読み出し可能になるタイミングが早いため、後述する「確認誘導画面」を早く表示できる。
【００３６】
管理部１６０は、記憶部１４０と接続され、記憶部１４０に保存された管理情報の更新をする。具体的には、ドアホン未確認画像が表示部１７０に表示された場合には、管理情報を更新し、当該ドアホン未確認画像を特定される画像から外す。また、管理情報により特定されるドアホン未確認画像のリストの表示の要否について確認を行う「確認誘導画面」の管理をする。
【００３７】
表示部１７０は、録画再生処理部１１０、１２０および管理部１６０に接続され、管理部１６０から受信した録画情報の利用にかかわる管理情報、および録画再生処理部１１０、１２０において再生された録画情報を録画装置１に接続された表示装置１７１に表示する機能を備えている。
【００３８】
再生制御部１８０は、録画再生処理部１１０、１２０、管理部１６０および表示部１７０に接続され、録画装置１の再生にかかわる制御を行う。特に、記憶部１４０に保存された録画情報について、利用者にとっての重要度や緊急性などに応じて、迅速かつ適切な利用を可能にする機能を備え、録画再生処理部１１０、１２０、管理部１６０、表示部１７０および電源の制御を行うことができる。
【００３９】
以下、録画装置１の再生にかかわる再生制御部１８０の機能の特徴と動作手順について説明する。
【００４０】
図４において、まず、録画装置１の電源を起動する（ＯＮにする）（ステップ１０１：Ｓ１０１と略記する。以下、同様とする）。再生制御部１８０は、管理部１６０から記憶部１４０に保存されている録画画像に関する管理情報を取得し（Ｓ１０２）、再生制御部１８０に備えた判定手段（図示せず）により、ドアホン未確認画像があるか否かについて判定を行う（Ｓ１０３）。判定の結果、ＮＯの場合（電源起動時にドアホン未確認画像が記憶部に保存されていない場合）には、表示装置１７１にチューナ視聴画面を表示（Ｓ１０４）し、ＹＥＳの場合（電源起動時にドアホン未確認画像が記憶部１４０に保存されている場合）には、再生制御部１８０は、管理部１６０に指示することにより表示装置１７１に「確認誘導画面」を表示し、利用者にドアホン未確認画像について表示の要否を確認するための誘導を行う（Ｓ１０５）。つぎに、表示装置１７１に表示された「確認誘導画面」において、すぐに「再生する」か「あとから」にするかについて利用者の確認を促す（Ｓ１０６）。利用者により「再生する」が選択された場合には、再生制御部１８０は、録画再生処理部１１０および録画再生処理部１２０のいずれかを制御して表示装置１７１にドアホン未確認画像を再生表示するとともに、再生終了後、管理部１６０に対して再生を行ったドアホン未確認画像にかかわる管理情報の更新を指示する（ドアホン未確認画像から確認済み画像に変更する）（Ｓ１０７）。一方、「確認誘導画面」において利用者により「あとから」が選択された場合には、表示装置１７１にチューナ視聴画面を表示し、視聴が終了するまで、「確認誘導画面」を非表示とする（Ｓ１０８）。チューナ視聴が終了し、利用者が電源を切る（ＯＦＦにする）操作を行った場合（Ｓ１０９）、再生制御部１８０は電源の動作を制御し、停止（ＯＦＦ）前に、「確認誘導画面」を再度表示し、利用者にドアホン未確認画像について表示の要否を確認するため、再度、誘導を行う（Ｓ１１０）。再度表示された「確認誘導画面」において、利用者により「再生する」が選択された場合には、再生制御部１８０はドアホン未確認画像を再生表示するとともに、再生終了後、ドアホン未確認画像にかかわる情報を更新する（Ｓ１１１）。また、「確認誘導画面」において利用者により「あとから」が選択された場合には、電源をＯＦＦにする。電源ＯＦＦ後、次回の電源起動時に、まだ、ドアホン未確認画像が記憶部１４０に保存されている場合は、確認誘導画面を表示する。
【００４１】
なお、確認誘導画面は、ドアホンシステム１５１からの着信イベントを受信し来訪者の画像を記録した場合のみ表示し、ネットワークカメラ１６（図１）などのセンサー検知イベントなどによって映像が記録された場合でも、ドアホンシステム１５１からの映像の記録がない場合には、表示されない。
【００４２】
なお、上記説明では、ステップＳ１１０において再生制御部１８０は電源の動作を制御し、停止（ＯＦＦ）前に、「確認誘導画面」を再度表示し、利用者にドアホン未確認画像について表示の要否を確認するため、再度、誘導を行うとした。しかしながら、このステップは必ずしも必要なく、省力してもかまわない。この場合は、次回の電源起動時に、このドアホン未確認画像に対して「確認誘導画面」が表示されることになる。
【００４３】
つぎに、上述の「確認誘導画面」について、図５〜７により説明する。
【００４４】
図５は、確認誘導画面に関する表示例を示す。図５に示すように、確認誘導画面５０２は、表示装置１７１の表示画面５０１上に重複表示（オーバレイ）される。確認誘導画面５０２には第１の選択肢５０３および第２の選択肢５０４が設けられている。本実施の形態では第１の選択肢５０３を「再生する」とし、第２の選択肢５０４を「あとから」としており、「再生する」が利用者により選択された場合は（例えば、「留守録ナビ画面」と表示する）再生画面に移行し、「あとから」が選択された場合はチューナ視聴画面に移行する。
【００４５】
図６、図７は、再生画面（留守録ナビ画面）におけるドアホン未確認画像に関する表示例である。図６は、ドアホン未確認画像のみを表示する場合であり、留守録ナビ画面６０１には、ドアホン未確認画像が一覧表として表示される。個別のドアホン未確認画像６０２にはメッセージ６０３、録画日時６０４、付与番号６０５などが表示される。また、図７は、録画画像について全画像を表示する場合を示している。留守録ナビ画面７０１に表示される録画画像は、確認済み画像７０２とドアホン未確認画像７０３が識別しやすいデザインで表示されている。
【００４６】
以上の通り、本発明の実施の形態における録画装置１の起動時および電源ＯＦＦ時に、アホンシステム１５１から入力された画像であり、且つ、録画画像のうち一度も表示されていない未確認画像の表示の要否について確認を行う誘導画面を表示し、利用者の選択に従って未確認画像を表示し、録画済み画像情報の更新管理を行うことが可能となる。したがって、利用者は録画装置に記録された情報について、重要度や緊急性などに応じて再生のタイミングを判断し、極めて簡単な操作により自らの意思を実行することができる。これにより、録画情報の迅速かつ適切な利用を可能にする高機能の録画装置を提供することができる。
【産業上の利用可能性】
【００４７】
本発明は、録画装置とカメラ装置の機能の連携と有効利用が可能であり、例えば、ドアホンシステムやホームセキュリティシステムなどの家庭用ネットワークシステムに利用することができる。
【図面の簡単な説明】
【００４８】
【図１】本発明の第１の実施の形態における録画装置の使用例を示す主要配置図
【図２】同録画装置の基本構成を示すブロック図
【図３】同録画装置の動作手順を示すフローチャート
【図４】同録画装置の動作手順を示すフローチャート
【図５】同録画装置の機能に関する事例を示す概略説明図
【図６】同録画装置の機能に関する事例を示す概略説明図
【図７】同録画装置の機能に関する事例を示す概略説明図
【符号の説明】
【００４９】
１    録画装置
２    リビング
３    テレビ
４    ルータ
５，１０，１７    ＰＬＣアダプタ
６，１１，１８    プラグ
７，１２，１９    コンセント
８    電灯線
９    ドアホン親機
１３    玄関
１４    ドアホンカメラ
１５    人（人物、来訪者）
１６    ネットワークカメラ
１１０，１２０    録画再生処理部
１１１，１２１    番組予約部
１１２，１２２    録画再生部
１１３，１２３    チューナ
１１４    端子部
１１５    アンテナ
１３０    録画制御部
１３１    切替部
１３２，１３３    セレクタ
１４０    記憶部
１５０    ネットワークアダプタ
１５１    ドアホンシステム
１５２    カメラ装置
１６０    管理部
１７０    表示部
１７１    表示装置
１８０    再生制御部
５０１    表示画面
５０２    確認誘導画面
５０３    第１の選択肢
５０４    第２の選択肢
６０１，７０１    留守録ナビ画面
６０２，７０３    ドアホン未確認画像
６０３    メッセージ
６０４    録画日時
６０５    付与番号
７０２    確認済み画像
【図１】
0005104638.tif 000002
【図２】
0005104638.tif 000003
【図３】
0005104638.tif 000004
【図４】
0005104638.tif 000005
【図５】
0005104638.tif 000006
【図６】
0005104638.tif 000007
【図７】
0005104638.tif 000008